(57)【要約】【課題】  無線ＩＣに損傷を与えることなく、しかも、搬送経路の切替部の占有面積を大きくすることなく、通帳類の搬送方向を切替えることができるようにする。【解決手段】  上段及び中段の搬送手段４，１４と、これら上段及び中段の搬送手段４，１４によって搬送される通帳類Ｔに第１及び第２の情報をそれぞれ印刷する文字印刷部９及び印刷転写装置第１７と、文字印刷部９によって第１の情報が印刷された通帳類Ｔの搬送方向を中段搬送手段１４の方向に切り換える第１の経路切替部１１とを具備し、第１の経路切替部１１は通帳類Ｔを導入させてガイドするストレートガイド部３１と、このストレートガイド部３１に所定の角度を有して接続される湾曲ガイド部３２を有して構成され、ストレートガイド部３１により通帳類Ｔの無線ＩＣを有する中紙Ｔａをガイドし、湾曲ガイド部３２により無線ＩＣを有さない表紙Ｔｂをガイドする。【選択図】      図１
2005247526.tif 000002
【特許請求の範囲】
【請求項１】
開頁された一方の頁に無線ＩＣを有する通帳類を開頁された状態で搬送路に沿って搬送するもので、互いに離間して配設される第１及び第２の搬送手段と、
これら第１及び第２の搬送手段によって搬送される通帳類に第１及び第２の情報をそれぞれ印刷する第１及び第２の印刷手段と、
前記第１の印刷手段によって第１の情報が印刷された前記通帳類の搬送方向を前記第２の搬送手段の方向に切り換える切替手段とを具備し、
前記切替手段は前記通帳類を導入させてガイドするストレートガイド部と、このストレートガイド部に所定の角度を有して接続される湾曲ガイド部を有して構成され、
前記ストレートガイド部により前記通帳類の無線ＩＣを有する一方の頁をガイドし、前記湾曲ガイド部により前記無線ＩＣを有さない他方の頁をガイドすることを特徴とする印刷装置。
【請求項２】
前記ストレートガイド部は所定間隔を存して離間対向する一対の平板プレートを有して構成され、
前記湾曲ガイド部は湾曲プレートと、この湾曲プレートに離間対向する平板プレートを有して構成されることを特徴とする請求項１記載の印刷装置。
【請求項３】
前記湾曲ガイド部で搬送がガイドされる通帳類の他方の頁は前記湾曲プレートに沿って湾曲されながら搬送されたのち、綴じ目部に沿って折曲げられることにより平面状に復帰することを特徴とする請求項２記載の印刷装置。
【請求項４】
前記切替手段は正逆方向に回動自在に設けられ、正方向に回動されることにより、前記ストレートガイド部を前記第１の搬送手段の搬送路に位置させて通帳類を導入させることを特徴とする請求項１記載の印刷装置。
【発明の詳細な説明】
【技術分野】
【０００１】
本発明は、例えば、金融機関やＩＣカードとして用いられる通帳類の印刷装置に関する。
【背景技術】
【０００２】
この種の印刷装置は、セットした複数の通帳類を１冊づつ取り出す取出部、取出された通帳類の頁を捲る頁捲り部、捲られた通帳類の情報を読み取る読取部、捲られた頁に文字情報を印刷する文字印刷部、カラーインク等で画像情報を印刷する画像印刷部、印刷された頁を保護するラミネート部、印刷結果を検査する検査部、完成した通帳類を集積する集積部等を備えて構成されている。
【０００３】
ところで、上記した印刷装置の各構成要素を直線的に配置した場合には、通帳類の搬送方向を変更する必要はないが、設置面積が広く必要になり、占有面積が大きくなってしまう。
【０００４】
そこで、機器の設置面積に制約がある場合には、印刷装置の構成要素を複数個づつユニット化し、これら各ユニットを複数段に積み上げて構成することが考えられている。
【０００５】
このように構成される印刷装置においては、各ユニット間で通帳類を移動させる場合には、湾曲する搬送経路切替部により通帳類を湾曲させながら搬送するものがある（例えば、特許文献１参照。）。
【０００６】
また、搬送経路切替部を回動自在に設け、この搬送経路切替部を回動させることにより、通帳類の搬送方向を切替えて各ユニット間で移動させるものもある。
【特許文献１】特開平１０−１０９４４９号公報
【発明の開示】
【発明が解決しようとする課題】
【０００７】
しかしながら、近時においては、通帳類に無線ＩＣが埋め込まれていることがあり、無線ＩＣを埋め込んだ頁には保護部材が付加され、通帳類全体の剛性が非常に高いものとなっている。このため、各ユニット間で通帳類を湾曲させながら搬送すると、無線ＩＣに強く応力が作用して損傷させてしまう虞がある。
【０００８】
また、搬送経路切替部を回動させて搬送方向を切替えるものは、無線ＩＣを損傷させる虞はないが、開いた通帳類の長さ寸法分の搬送路長が必要となり、搬送経路切替部の占有面積が大きくなるという問題がある。
【０００９】
本発明は上記事情に着目してなされたもので、通帳類に無線ＩＣが埋め込まれている場合であっても、無線ＩＣに損傷を与えることなく、しかも、切替手段の占有面積を大きくすることなく、通帳類の搬送方向を切替えることができるようにした印刷装置を提供することを目的とする。
【課題を解決するための手段】
【００１０】
上記課題を解決するため、請求項１記載のものは、開頁された一方の頁に無線ＩＣを有する通帳類を開頁された状態で搬送路に沿って搬送するもので、互いに離間して配設される第１及び第２の搬送手段と、これら第１及び第２の搬送手段によって搬送される通帳類に第１及び第２の情報をそれぞれ印刷する第１及び第２の印刷手段と、前記第１の印刷手段によって第１の情報が印刷された前記通帳類の搬送方向を前記第２の搬送手段の方向に切り換える切替手段とを具備し、前記切替手段は前記通帳類を導入させてガイドするストレートガイド部と、このストレートガイド部に所定の角度を有して接続される湾曲ガイド部を有して構成され、前記ストレートガイド部により前記通帳類の無線ＩＣを有する一方の頁をガイドし、前記湾曲ガイド部により前記無線ＩＣを有さない他方の頁をガイドすることを特徴とする。
【発明の効果】
【００１１】
本発明によれば、通帳類に無線ＩＣが埋め込まれている場合であっても、無線ＩＣに損傷を与えることなく搬送方向を切替えることができ、しかも、その切替手段の占有面積を小さくすることができる。
【発明を実施するための最良の形態】
【００１２】
以下、本発明を図面に示す実施の形態を参照して詳細に説明する。  
図１は本発明の一実施の形態である通帳類の印刷装置１を示す全体構成図である。
【００１３】
図１中２は、セットした複数の通帳類Ｔを１冊づつ取り出す取出部で、この取出部２から取り出された通帳類Ｔは第１の搬送手段としての上段搬送手段４によって搬送路５に沿って水平に搬送される。搬送路５中には、通帳類Ｔの搬送方向に亘って頁捲り部７、読取部８、第１の印刷手段としての文字印刷部９が配設されている。頁捲り部７は通帳類Ｔの印刷する頁を捲るもので、読取部８は通帳類Ｔの情報を読み取るものである。文字印刷部９は通帳類Ｔに文字情報を印刷するものである。
【００１４】
第１の搬送路５の下方部には、第１の経路切替部（切替手段）１１、及び第２の経路切替部１２を介して第２の搬送手段としての中段搬送手段１４が設けられている。中段搬送手段１４によって通帳類Ｔが搬送路１５に沿って斜め下方に向かって搬送される。搬送路１５中には、第２の印刷手段としての印刷転写装置１７が設けられ、この印刷転写装置１７はカラーインク等で画像情報を中間転写フィルム１８に印刷する画像印刷部１９と、この画像印刷部１９で印刷した中間転写フィルム１８上の画像を通帳類Ｔの所定の頁に転写させる転写部２０とを有して構成される。
【００１５】
中段搬送手段１４の下方部には第３の搬送経路切替部２１を介して下段搬送手段２２が設けられている。下段搬送手段２２によって通帳類Ｔは搬送路２４に沿って水平に搬送される。この搬送路２４中には印刷結果を検査する検査部２５が設けられている。搬送路２４の搬出側には、印刷が完成した通帳類Ｔを集積する集積部２７が設けられている。
【００１６】
図２は通帳類Ｔを開頁した状態で示すものである。
【００１７】
この通帳類Ｔの中紙Ｔａには、セキュリティを向上するために無線ＩＣ２９が埋め込まれている。無線ＩＣ２９を埋め込んだ中紙Ｔａには保護部材が付加され、無線ＩＣ２９を破壊から守っている。このため、無線ＩＣ２９を埋め込んだ中紙Ｔａは剛性が高く、湾曲させて搬送することが困難な硬質の頁となっている。通帳類Ｔの表紙Ｔｂには、無線ＩＣ２９が埋め込まれず軟質のページとなっており、湾曲させて搬送することが可能となっている。
【００１８】
図３は、上記した第１の経路切替部１１を示すものである。
【００１９】
この第１の経路切替部１１はストレートガイド部３１と、このストレートガイド部３１に所定の角度を有して一体的に接続される湾曲ガイド部３２と、ストレートガイド部３１に配設される搬送ローラ対３３ａ，３３ｂを有して構成されている。
【００２０】
ストレートガイド部３１は所定間隔を存して対向配置される一対の平板プレート３４ａ，３４ｂを有している。湾曲ガイド部３２は湾曲プレート３６ａとこの湾曲プレート３６ａに離間対向する平板プレート３６ｂを有している。
【００２１】
第２のガイド部３２の湾曲プレート３６ａはストレートガイド部３１の平板プレート３４ａに一体的に接続されている。湾曲ガイド部３２の平板プレート３６ｂはストレートガイド部３１の平板プレート３４ｂに所定の角度を有して一体的に接続されている。
【００２２】
このように構成される第１の経路切替部１１は、上段搬送手段４の一部を構成する搬送ローラ群３８と一体化されて図示しない回動機構により搬送ローラ群３８とともに、第１の方向ａとこの第１の方向ａと逆の第２の方向ｂに回動されるようになっている。第１の経路切替部１１は、第１の方向ａに回動されることにより、そのストレートガイド部３１を搬送ローラ群３８が位置していた部位に位置させて通帳類Ｔをその柔らかい表紙Ｔｂ側から導入させて搬送ガイドするようになっている。
【００２３】
次に、上記したように構成される印刷装置１の印刷動作について説明する。
【００２４】
まず、取出部２から通帳類Ｔが一冊づつ取出されて上段搬送手段４の搬送ローラ群３８によって搬送される。この通帳類Ｔはめくり部７で頁が捲られたのち、読取部８へ送られてその頁情報が読み取られ、所定の頁になるまで捲り動作が繰り返される。所定の頁が捲られと、通帳類Ｔは文字印刷部９に送られて文字情報が印刷される。
【００２５】
このように文字情報が印刷されたのち、通帳類Ｔは逆方向に送られるとともに、第１の経路切替部１１が図４（ａ）に示す状態から図４（ｂ）に示すように、第１の方向ａに回動されてそのストレートガイド部３１を図４（ｃ）に示すように上段搬送手段４の搬送ローラ群３８が位置していた部位に移動させる。
【００２６】
これにより、逆送されてくる通帳類Ｔがその柔らかい表紙Ｔｂ側からストレートガイド部３１内に導入されて送込まれる。この送り込まれる通帳類Ｔは、搬送ローラ対３３ａ，３３ｂの回転により搬送されて図５（ａ）に示すように、表紙Ｔｂがストレートガイド部３１を通過して湾曲ガイド部３２内に位置するとともに、無線ＩＣ２９を有する硬質の中紙Ｔａ側がストレートガイド部３１内に位置すると、停止される。このとき、通帳類Ｔは、その綴じ目部Ｔｃを境にして約９０度折り曲げた状態となる。
【００２７】
しかるのち、第１の経路切替部１１が矢印ｂで示すように下方に回動されて図５（ｂ）に示すようにストレートガイド部３１を初期位置に復帰させるとともに、搬送ローラ群３８も初期位置に復帰され、次の通帳類の取り込みに備える。ストレートガイド部３１が初期位置に復帰されたのち、搬送ローラ対３３ａ，３３ｂが矢印方向に回転されて通帳類Ｔを下方へ送り出す。この下方に送り出される通帳類Ｔは第２の経路切替部１２に送り込まれたのち、第２の経路切替部１２が図１に示すように矢印方向に回動されることにより、中段搬送手段１４の搬送路１５に送出されて転写位置へと搬送される。
【００２８】
一方、このときには、画像印刷部１９のサーマルヘッド４０によりインクリボン４１のカラーインクが中間転写フィルム１８に転写されて画像情報が印刷され、この画像情報は中間転写フィルム１８の搬送により転写位置に送られて通帳類Ｔに対向される。この状態から転写ローラ４３が回転されて中間転写フィルム１８の画像情報が通帳類Ｔに転写される。
【００２９】
このように画像情報が転写されたのち、通帳類Ｔは第３の経路切替部２１に搬送され、第３の経路切替部２１が矢印方向に回動することにより下段搬送手段２２の搬送路２４に送り出される。この通帳類Ｔは下段搬送手段２２によって検査部２５に搬送されてその印刷結果が検査されたのち、集積部２７に集積される。
【００３０】
上記したように、この実施の形態によれば、無線ＩＣ２９が埋め込まれる硬質の中紙Ｔａ側はストレートガイド部３１によってガイドするため、湾曲することなく真っ直ぐに搬送される。従がって、無線ＩＣ２９に応力が加わることが無く、その損傷を防止できる。
【００３１】
また、無線ＩＣ２９が埋め込まれない柔らかい表紙Ｔｂ側は湾曲ガイド部３２に沿って湾曲され、綴じ目部Ｔｃを境に約９０度折り曲げた状態になるため、通帳類Ｔの搬送方向に沿う第１の経路切替部１１の長さを短くでき、その占有面積を小さくすることが可能となる。
【００３２】
また、通帳類Ｔの表紙Ｔｂ側は、湾曲ガイド部３２の湾曲プレート３６ａに沿って湾曲しながら搬送されるが、綴じ目部Ｔｃに沿って折り曲げられるのに基づいて、湾曲プレート３６ａと平板プレート３６ｂとの間の空間内で弾性力により平面状に復帰するため、カール状に変形することを防止できる。
【００３３】
なお、本発明は、上記一実施の形態に限られることなく、その要旨の範囲内で種々変形実施可能なことは勿論である。
【図面の簡単な説明】
【００３４】
【図１】本発明の一実施の形態である印刷装置を概略的に示す概略的構成図。
【図２】同印刷装置で印刷される通帳類を開いた状態で示す斜視図。
【図３】同印刷装置の搬送経路切替部を示す構成図。
【図４】同搬送経路切替部の切替動作を示す図。
【図５】同搬送経路切替部の切替動作を示す図。
【符号の説明】
【００３５】
Ｔａ…中紙（一方の頁）、Ｔｂ…表紙（他方の頁）、Ｔｃ…綴じ目部、Ｔ…通帳類、５，１５…搬送路、４，１４…上段及び中段の搬送手段（第１及び第２の搬送手段）、９，１７…文字印刷部及び印刷転写装置（第１及び第２の印刷手段）、１１…第１の経路切替部（切替手段）、２９…無線ＩＣ、３１…ストレートガイド部、３２…湾曲ガイド部、３４ａ，３４ｂ…平板プレート、３６ａ…湾曲プレート、３６ｂ…平板プレート。
【図１】
2005247526.tif 000003
【図２】
2005247526.tif 000004
【図３】
2005247526.tif 000005
【図４】
2005247526.tif 000006
【図５】
2005247526.tif 000007